(57)【要約】【課題】花に対して複数の色で染色することで、花全体として色が段階的に変化している多色花の製造方法及び多色花を提供する。【解決手段】多色花の製造方法は、一方の端部に花を有し、他方の端部に切断端面を有する茎を少なくとも有する切り花に対し、前記切断端面側から前記茎の軸方向に沿って前記茎の内部をくり抜いて中空部を形成するくり抜き工程と、前記中空部の外壁に対し、前記切断端面側から前記茎の軸方向に切れ込みを形成して前記茎の周方向に複数の分割部を形成する分割工程と、前記分割部をそれぞれ異なる色の染料に浸漬させる染色工程とを備えている。【選択図】        図１
2015195778.tif 000002
【特許請求の範囲】
【請求項１】
一方の端部に花を有し、他方の端部に切断端面を有する茎を少なくとも有する切り花に対し、前記切断端面側から前記茎の軸方向に沿って前記茎の内部をくり抜いて中空部を形成するくり抜き工程と、
前記中空部の外壁に対し、前記切断端面側から前記茎の軸方向に切れ込みを形成して前記茎の周方向に複数の分割部を形成する分割工程と、
前記分割部をそれぞれ異なる色の染料に浸漬させる染色工程とを備えたことを特徴とする多色花の製造方法。
【請求項２】
前記分割工程にて、前記切れ込みを４つ形成して前記分割部をそれぞれ第１セクション〜第４セクションとして形成し、
前記染色工程にて、前記分割部をそれぞれ赤、緑、黄、青の染料に浸漬させることを特徴とする請求項１に記載の多色花の製造方法。
【請求項３】
前記分割工程にて、前記第１セクション〜第４セクションの前記切断端面での周方向の長さの比を１：１：１：０．７とし、
前記染色工程にて、第４セクションに浸漬する染料を青とすることを特徴とする請求項２に記載の多色花の製造方法。
【請求項４】
前記切り花は、前記茎の前記切断端面を形成した後５日以内のものであることを特徴とする請求項1〜３のいずれかに記載の多色花の製造方法。
【請求項５】
前記茎の長さは、５０ｃｍ以上であることを特徴とする請求項1〜４のいずれかに記載の多色花の製造方法。
【請求項６】
前記花の色が段階的に変化して多色を有することを特徴とする請求項1〜５のいずれかの多色花の製造方法で製造された多色花。
【発明の詳細な説明】
【技術分野】
【０００１】
本発明は、多色花の製造方法及び多色花に関する。より詳しくは、複数の花弁が染色されて花全体として色が段階的に変化している多色花の製造方法及び多色花に関するものである。
【背景技術】
【０００２】
花はその香りや外観により人に感動を与えるものである。花の外観は花弁が有する色によってその印象がほぼ決定する。ほとんどの花の場合、花弁の色は一つの花に対して一色である。すなわち、花の色は一色であることが多い。この花弁の色を変化させることで、人に与える印象も変化させることができると考えられている。
【０００３】
蘭の花の色を変える方法が知られている（例えば特許文献１参照）。この方法では、茎（花梗）に収納空間を形成し、ここに固体染色剤を挿入する。これにより、水分とともに染色剤が花弁に運搬され、花弁は染色される。
【０００４】
しかしながら、単に花弁の色を変化させることは知られているが、複数の花弁を多色にして花全体として多色とし、さらに様々な印象を人に与えることについて具体的な方法は知られていない。特に、花全体としてみたときにその色の変化が段階的に変化する、いわゆるグラデーション効果を奏することでさらに人に感動を与えることができる。
【先行技術文献】
【特許文献】
【０００５】
【特許文献１】特開２０１３−１８８１７０号公報
【発明の概要】
【発明が解決しようとする課題】
【０００６】
本発明は、上記従来技術を考慮したものであり、花に対して複数の色で染色することで、花全体として色が段階的に変化している多色花の製造方法及び多色花を提供することを目的とする。
【課題を解決するための手段】
【０００７】
前記目的を達成するため、本発明では、一方の端部に花を有し、他方の端部に切断端面を有する茎を少なくとも有する切り花に対し、前記切断端面側から前記茎の軸方向に沿って前記茎の内部をくり抜いて中空部を形成するくり抜き工程と、前記中空部の外壁に対し、前記切断端面側から前記茎の軸方向に切れ込みを形成して前記茎の周方向に複数の分割部を形成する分割工程と、前記分割部をそれぞれ異なる色の染料に浸漬させる染色工程とを備えたことを特徴とする多色花の製造方法を提供する。
【０００８】
好ましくは、前記分割工程にて、前記切れ込みを４つ形成して前記分割部をそれぞれ第１セクション〜第４セクションとして形成し、前記染色工程にて、前記分割部をそれぞれ赤、緑、黄、青の染料に浸漬させる。
【０００９】
好ましくは、前記分割工程にて、前記第１セクション〜第４セクションの前記切断端面での周方向の長さの比を１：１：１：０．７とし、前記染色工程にて、第４セクションに浸漬する染料を青とする。
【００１０】
好ましくは、前記切り花は、前記茎の前記切断端面を形成した後５日以内のものである。
【００１１】
好ましくは、前記茎の長さは、５０ｃｍ以上である。
【００１２】
また、本発明では、前記花の色が段階的に変化して多色を有することを特徴とする多色花を提供する。
【発明の効果】
【００１３】
本発明によれば、複数の分割部をそれぞれ異なる色の染料に浸漬させるので、分割部から茎を介して吸い上げられた染料で花を当該染料の色で染めることができるとともに、それぞれの分割部から吸い上げられた異なる色の染料で花の色を段階的に変化させるように着色することができる。すなわち、茎を介して花に吸い上げられた染料は、花の一部を当該染料の色で着色し、他の一部を隣り合う色の染料との中間色で着色する。
【００１４】
特に、分割部を第１セクション〜第４セクションとして４つ形成し、染料を赤、緑、黄、青の４色とすることで、花全体として７色のいわゆる虹色とすることができる。このとき、青の染料に浸漬する第４セクションの大きさを他のセクションより少し小さめにすることで精度よい虹色を花に着色することができる。具体的には第４セクションの茎に対する周方向の長さを他のセクションの長さに対して７０％とすればそれぞれの色が均等に配された虹色を得ることができる。
【００１５】
また、茎に切断端面を形成してから、すなわち切り花として形成してから６日を経過すると著しく花の着色性が低下するため、５日以内に着色することが好ましい。また、茎の長さが５０ｃｍ以上あることで、中間色を確実に形成することができる。
【図面の簡単な説明】
【００１６】
【図１】本発明に係る多色花の製造方法のフローチャート。
【図２】くり抜き工程で用いる切り花の概略図。
【図３】くり抜き工程で中空部を形成するときの概略図。
【図４】分割工程で切れ込みを形成するときの概略図。
【図５】染色工程で染色するときの概略図。
【図６】染色工程を概念的に示す概略図。
【発明を実施するための形態】
【００１７】
以下、図面を参照して本発明に係る多色花の製造方法について説明する。図１に示すように、本発明に係る方法は少なくとも３つの工程を経て完了する。
【００１８】
まずはくり抜き工程を行う（ステップＳ１）。この工程では、図２に示すような切り花１をまず用意する。ここで用意する切り花１は、少なくとも花２と茎３とを有している。すなわち、葉４の有無は本発明の効果とは無関係である。具体的には、茎３の一方の端部に花２が配され、茎３の他方の端部は切断されて切断端面５となっている。なお、図の例では切り花１として薔薇を示している。
【００１９】
このような切り花１に対して茎３の切断端面５側に中空部６を形成する。具体的には、切断端面５側から茎３の軸方向に沿ってドリル等の穴あけ工具８を茎３の内部に挿入する。具体的には図３に示すように矢印Ｒ方向に回転させながら茎３の軸方向に沿って内部に穴あけ工具８を挿入する。これにより、茎３の内部はくり抜かれて中空部６となる。すなわち、中実の茎３の一部を中空とし、茎３の端部を円筒形状とする。このため、中空部６の周りには表皮からなる外壁７が配されている。くり抜く深さは３ｃｍ〜５ｃｍを目安とする。茎３をくり抜くことで、茎３内部のいわゆる「髄」と呼ばれる部分が排出される。このように茎３をくり抜いて中空部６を形成することで、次に行う分割工程での切れ込み９の形成が容易になるとともに、さらに次に行う染色工程で花２に対する染色性を向上させることができる。
【００２０】
次に、分割工程を行う（ステップＳ２）。この工程では、外壁７に切れ込み９を形成する。具体的には、切断端面５側から茎３の軸方向に沿ってナイフ等を用いて切れ込み９を形成する。この際、まずは外壁７が２分割となるように２箇所に切れ込み９ａが形成され、その後さらに２箇所の切れ込み９ｂを形成する。この切れ込み９が形成されることで、外壁７は分割されて複数の分割部１０となる。なお、図では分割部１０を４つ形成した例を示している。
【００２１】
次に染色工程を行う（ステップＳ３）。この工程では、分割部１０をそれぞれ異なる色の染料に浸漬させて花２を染色する。具体的には、仕切り板１１でそれぞれ仕切られた収容空間を有する容器１２を用意し、当該収容空間にそれぞれ異なる色の染料１３を収容する。これらの収容空間のそれぞれに一つずつ分割部１０を浸漬する。このように、複数の分割部１０をそれぞれ異なる色の染料１３に浸漬させるので、分割部１０から茎３を介して吸い上げられた染料１３で花２を当該染料１３の色で染めることができる。また、それぞれの分割部１０から吸い上げられた異なる色の染料１３で花２の色を段階的に変化させるように着色することができる。すなわち、茎３を介して花２に吸い上げられた染料１３は、花２の一部を当該染料１３の色で着色し、他の一部を隣り合う色の染料１３との中間色で着色する。したがって花２はグラデーションがかったようになった多色花となり、その花２を見る人の心を魅了することになり、感動を与えることができる。
【００２２】
ここで、染色工程についてさらに詳述する。
【００２３】
染色工程を概念的に示せば図６に示すように茎３を開いたように描くことができる。図６はあくまで便宜的に茎３を開いて描いたものであり、実際はこのように茎３を開くことはない。このように描くことで、４分割された分割部１０がそれぞれ異なる収容空間の染料１３に浸漬されていることをわかりやすく示せる。ここで、４つの分割部１０をそれぞれ第１セクション１０ａ、第２セクション１０ｂ、第３セクション１０ｃ、第４セクション１０ｄとすると、それらセクション１０ａ〜１０ｄはそれぞれ赤、緑、黄、青の染料１３ａ〜１３ｄに浸漬される。このように分割部１０を４つ形成し、これらの分割部１０ａ〜１０ｄのそれぞれに赤、緑、黄、青の染料１３ａ〜１３ｄを浸漬させることで、染料１３ａ〜１３ｄを吸い上げて着色された花２は７色のいわゆる虹色となる。この虹色が最も人の目を惹き、感動を与えるため染料１３ａ〜１３ｄとしては上記赤、緑、黄、青を用いることが好ましい。なお、染色工程は６時間〜２４時間行われる。また、染色工程を行う際に周囲の温度は５℃〜１０℃が好ましい。
【００２４】
虹色は本来、紫、青、緑、黄、赤の５色を用い、紫と青の間及び黄と赤の間に中間色が入り紫、藍、青、緑、黄、橙、赤という色味となっている。切断端面５での第１セクション〜第４セクション１０ａ〜１０ｄの周方向の長さｌ、ｍ、ｎ、ｏを均等とすると、目の錯覚で青系の主張が強く感じられることを本願発明者は見出した。このため、７色の虹色を再現する際に紫の染料を用いずに、青系の染料を一色として花２に対する青系の吸収割合を他よりも少なくして７色が均等に配色されるようにしている。すなわち、花２を７色の虹色に着色する際に、分割部１０を５個や６個、あるいは３個や７個とするよりは、４個形成した方がはっきりと７色の色を再現できる。
【００２５】
また、青１３ｄを吸い上げる第４セクション１０ｄの大きさを他のセクション１０ａ〜１０ｃよりも少し小さめにするとさらに配色の均等性が高まる。具体的には、切断端面５での第１セクション〜第４セクション１０ａ〜１０ｄの周方向の長さｌ、ｍ、ｎ、ｏの長さの比を１：１：１：０．７とし、０．７に対応する第４セクション１０ｄに浸漬する染料を青１３ｄとする。これにより、均等なグラデーション（均等な配色）の虹色を精度よく得ることができ、そのように花２を着色することができる。なお、上記では虹色を最も効率よく配色させるための一例を示したが、用いる染料は上記に限らずどのような色のものを用いてもよい。また、分割部１０の数も種々選択可能であり、着色する色数もこれによって変化させることも可能である。すなわち、本発明を用いれば２色を基本色としたグラデーションの多色花を製造できる。
【００２６】
なお、本発明に用いる切り花１は、茎３の切断端面５を形成した後５日以内のものを用いる。本願発明者は、茎３に切断端面５を形成してから、すなわち切り花１として形成してから６日を経過すると著しく花２の着色性が低下することを経験により見出したためである。より好ましくは、花２が満開の状態を１０分咲きとしたときに、花２が３分咲きのときに切断端面５を形成することが好ましい。このときから５日以内であれば着色性が特に良好である。本発明に用いる花２の色は白とするが、有色のものでもよい。また、本発明に用いる切り花１の茎３の長さは、５０ｃｍ以上である。本願発明者は、茎３が５０ｃｍより短いと染料１３の中間色の着色を花２に与えることが困難であることを経験により見出している。茎３が５０ｃｍ短いと、茎３の中で中間色となる前に花２に色がついてしまうためである。すなわち、茎３を５０ｃｍ以上とすることで、用いた染料１３の中間色を確実に花２に着色することができる。
【符号の説明】
【００２７】
１：切り花、２：花、３：茎、４：葉、５：切断端面、６：中空部、７：外壁、８：穴あけ工具、９：切れ込み、１０：分割部、１０ａ：第１セクション、１０ｂ：第２セクション、１０ｃ：第３セクション、１０ｄ：第４セクション、１１：仕切り板、１２：容器、１３：染料、１３ａ：赤の染料、１３ｂ：緑の染料、１３ｃ：黄の染料、１３ｄ：青の染料
【図１】
2015195778.tif 000003
【図２】
2015195778.tif 000004
【図３】
2015195778.tif 000005
【図４】
2015195778.tif 000006
【図５】
2015195778.tif 000007
【図６】
2015195778.tif 000008